(57)【要約】      （修正有）【課題】植物を良好な状態で長期間維持でき、作業性が良く多様な場所に配置でき、搬送・管理コストを低減し、且つ植物のレイアウト変更性・デザイン性にも優れた壁面緑化ユニットを提供する。【解決手段】壁面緑化ユニット１は、四角枠形状のアタッチメント３と、アタッチメント３を水平方向で、上下方向の自由な位置に複数段で着脱可能に取り付けるために垂直状に立設される構築物２と、開口面の端側において植物を斜め上向きで植込定置できるように下方に向かって斜めに傾斜した植込口、及び側面において下端位置でアタッチメント３と係合するための複数の凸条リブを有する植栽ケース４と、を備える。この構成により、植物を良好な状態で長期間維持でき、作業性が良く多様な場所に配置でき、搬送・管理コストを低減し、且つ植物のレイアウト変更性・デザイン性にも優れた壁面緑化ユニット１となる。【選択図】図１
2017221129.tif 000002
【特許請求の範囲】
【請求項１】
上面に開口面が形成され、植物の根部を包囲して培養土を収容するための内部空間を有
する略箱形状の植栽ケースであって、                                              
前記開口面の端側には、植物を斜め上向きで植込定置できるように下方に向かって斜め
に傾斜した植込口が形成されると共に、前記植栽ケースの側面には、下端位置で所定部材
と係合するための複数の係合部が形成される、ことを特徴とする植栽ケース。          
【請求項２】
前記植栽ケースは、さらに、前記開口面に係合し固定される形状の蓋部材を有し、当該
蓋部材には、水を下方へ通すための貫通孔たる通水部が形成されている、ことを特徴とす
る請求項１記載の植栽ケース。                                                    
【請求項３】
前記複数の係合部の下端位置は同一平面上にあり、                                
前記植栽ケースの底面側には、さらに、前記植込口側を正面とした状態において正面か
ら背面側に向かって傾斜した傾斜面が形成される、ことを特徴とする請求項１又は２に記
載の植栽ケース。                                                                
【請求項４】
四角枠形状のアタッチメントと、                                                
当該アタッチメントを水平方向で、上下方向の自由な位置に複数段で着脱可能に取り付
けるために垂直状に立設される構築物と、                                          
請求項１乃至３のいずれかに記載の植栽ケースと、を備えた壁面緑化ユニットであって
、前記所定部材が前記アタッチメントである、ことを特徴とする壁面緑化ユニット。    
【請求項５】
前記請求項４に記載の植栽ケースを用いて、植物を予め植えこむ工程と、            
前記植栽ケースを、前記請求項４に記載の壁面緑化ユニットの設置場所に搬送する工程
と、                                                                            
前記構築物に前記アタッチメントを取り付ける工程と、                            
前記構築物に取り付けられた前記アタッチメント上に、前記植栽ケースを、着脱可能に
載置する工程と、を含むことを特徴とする壁面緑化の設置方法。                      
【発明の詳細な説明】
【技術分野】
【０００１】
本発明は、スリット状構築物や壁面などに沿って自立した緑化壁を造るための植栽ケー
ス、及び当該植栽ケースを用いた壁面緑化ユニットに関する。                        
【背景技術】
【０００２】
近年、建物や構築物の壁面に沿って緑を設置する壁面緑化が盛んになってきている。壁
面緑化による効果は様々であり、緑に囲まれた空間にすることにより癒しやリラックス効
果が生じる。また、これ以外にも、都市部の気温の上昇を防ぐヒートアイランド対策、夏
期には室温の上昇を抑えて冬期には外に温度が逃げるのを防ぐという省エネ対策などの効
果を有する。                                                                    
【０００３】
従来の壁面緑化は、つる性の植物による緑化が主体で、短期で緑のボリュームを得るこ
とや地面から離れた高い壁面の緑化が困難であった。そこで、２００５年開催の愛知万博
の「バイオ・ラング」では１９社の協力業者の壁面緑化技術が展示された（例えば、非特
許文献１参照）。この「バイオ・ラング」とは、長さ１５０ｍ、高さ１２ｍ以上にも及ぶ
巨大な緑化壁であり、植物の生育基盤となる軽量土壌や灌水装置を埋め込んだ着脱自由な
パネルユニットを用いて造られた緑化壁である。そして、「バイオ・ラング」では、表面
気温、表面温度ともに周囲のコンクリート非緑化壁面や広場よりも気温の上昇が抑制され
、ヒートアイランド現象の抑制に資する効果が示された。                            
【０００４】
また、従来の壁面緑化システムとしては、例えば、下記の非特許文献２に示すようなカ
セット式のものが知られている。この壁面緑化システムは、（１）カセット鉢を交換する
のみで植物の簡単交換が可能、（２）市販のポット苗の使用が可能、（３）潅水システム
に対応可能などの特徴を有する。                                                  
【０００５】
さらに、同出願人の以前の出願であり、レール部材と、構築物と、当該レール部材の上
にスライド可能に取り付けられる載置台と、植物が植えられて当該載置台に係合する鉢状
体とを備えた緑化壁ユニットも開示されている（例えば、特許文献１及び２参照）。    
【先行技術文献】
【特許文献】
【０００６】
【特許文献１】特許第５７７９２７４号
【特許文献２】特願２０１４−２５７８０５号公報
【非特許文献】
【０００７】
【非特許文献１】“バイオ・ラング”[平成２６月１２月１日検索]、インターネット＜ＵＲＬ：http://www.expo2005.or.jp/jp/N0/N2/N2.2/N2.2.34/＞
【非特許文献２】“カセット式の壁面緑化システム”[平成２７月５月２４日検索]、インターネット＜ＵＲＬ：http://www.itoshoji.co.jp/greenwall/index.html＞
【発明の概要】
【発明が解決しようとする課題】
【０００８】
しかしながら、上述した緑化壁「バイオ・ラング」の展示から約１０年経過した現在で
は関連した業者はその大半が撤退しており、広く一般に定着し普及している壁面緑化の技
術は少ない。そして、依然として従来の壁面緑化では、植物が存在感ある景観を創出する
までに相当期間を要し、また、ディスプレイ変更性やデザイン性に乏しいという問題があ
る。                                                                            
【０００９】
また、植物をカセット鉢に入れて用いる場合、培養土の量が比較的少ない。このため、
カセット鉢が風に晒されて乾燥しやすく、また、たとえ植物を枯らさないために水を撒い
ても保水期間が短くすぐに乾いてしまう。その結果、植物が長持ちしない、上手に育たな
い、長期イベントでの使用には適さないなどの問題が生じている。                    
【００１０】
さらに、上記特許文献１，２に係る緑化壁ユニットにおいては、（１）植木鉢自体を斜
めにして用いるために作業性が悪く内部の培養土が流出し易い、（２）鉢状体が積層（ス
タッキング）できないために搬送コスト・管理コストを要する、（３）部品点数が多くな
る場合には緑化壁ユニットの組み立てに手間を要する、（４）植木鉢のみでのディスプレ
イに用いることができない、などの商品としての価値が乏しいという問題が生じている。
【００１１】
本発明は、上記課題に鑑みてなされたものであり、植物を良好な状態で長期間維持でき
、作業性が良く多様な空間や場所に配置でき、搬送・管理コストを低減し、且つ植物のレ
イアウト変更性・デザイン性にも優れた植栽ケース、及びその植栽ケースを用いる緑化壁
ユニットを提供することを目的とする。                                            
【課題を解決するための手段】
【００１２】
上記目的を達成するために本発明は、上面に開口面が形成され、植物の根部を包囲して
培養土を収容するための内部空間を有する略箱形状の植栽ケースであって、前記開口面の
端側には、植物を斜め上向きで植込定置できるように下方に向かって斜めに傾斜した植込
口が形成されると共に、前記植栽ケースの側面には、下端位置で所定部材と係合するため
の複数の係合部が形成されることを特徴とする。                                    
【００１３】
また、この植栽ケースにおいて、前記植栽ケースは、さらに、前記開口面に係合し固定
される形状の蓋部材を有し、当該蓋部材には、水を下方へ通すための貫通孔たる通水部が
形成されていることが好ましい。                                                  
【００１４】
また、この植栽ケースにおいて、前記複数の係合部の下端位置は同一平面上にあり、前
記植栽ケースの底面側には、さらに、前記植込口側を正面とした状態において正面から背
面側に向かって傾斜した傾斜面が形成されることが好ましい。                        
【００１５】
上記目的を達成するために本発明は、四角枠形状のアタッチメントと、当該アタッチメ
ントを水平方向で、上下方向の自由な位置に複数段で着脱可能に取り付けるために垂直状
に立設される構築物と、上記記載の植栽ケースと、を備えた壁面緑化ユニットであって、
前記所定部材が前記アタッチメントであることを特徴とする。                        
【００１６】
上記目的を達成するために本発明は、上記記載の植栽ケースを用いて、植物を予め植え
こむ工程と、前記植栽ケースを、上記記載の壁面緑化ユニットの設置場所に搬送する工程
と、前記構築物に前記アタッチメントを取り付ける工程と、前記構築物に取り付けられた
前記アタッチメント上に、前記植栽ケースを、着脱可能に載置する工程と、を含むことを
特徴とする壁面緑化の設置方法である。                                            
【発明の効果】
【００１７】
本発明に係る壁面緑化ユニットは、四角枠形状のアタッチメントと、アタッチメントを
水平方向で、上下方向の自由な位置に複数段で着脱可能に取り付けるために垂直状に立設
される構築物と、植栽ケースとを備える。植栽ケースは、開口面の端側において植物を斜
め上向きで植込定置できるように下方に向かって斜めに傾斜した植込口、及び側面におい
て下端位置でアタッチメントと係合するための複数の係合部を有する。この構成により、
本発明は、植物を良好な状態で長期間維持でき、作業性が良く多様な空間や場所に配置で
き、搬送・管理コストを低減し、且つ植物のレイアウト変更性・デザイン性にも優れたも
のとなる。                                                                      
【図面の簡単な説明】
【００１８】
【図１】（ａ）本発明の実施の形態に係る壁面緑化ユニットの正面図、（ｂ）同上壁面緑化ユニットの側面図である。
【図２】（ａ）同上壁面緑化ユニットを構成する構築物の斜視図、（ｂ）当該構築物が有する鉤状部の形状を示す図である。
【図３】（ａ）同上壁面緑化ユニットを構成するアタッチメントの斜視図、（ｂ）同上アタッチメントに植栽ケースを載置した際の斜視図である。
【図４】（ａ）同上壁面緑化ユニットを構成する植栽ケースの前方斜視図、（ｂ）同上植栽ケースの後方斜視図、（ｃ）同上植栽ケースの正面図、（ｄ）同上植栽ケースの側面図、（ｅ）同上植栽ケースの底面図である。
【図５】複数の植栽ケースをスタッキングした場合の正面図である。
【図６】前記壁面緑化ユニットを構成する蓋部材の斜視図である。
【図７】（ａ）壁面に沿って設置された壁面緑化ユニットの側面図、（ｂ），（ｃ）自立型の壁面緑化ユニットの側面図である。
【図８】（ａ）壁面緑化ユニットの正面図、（ｂ）アタッチメントの配置及び植栽ケースの大きさを多種にした場合の壁面緑化ユニットの正面図である。
【図９】同上実施の形態の第１の変形例に係る植栽ケースを多段積層した場合の正面図である。
【図１０】同上実施の形態の第２の変形例に係る植栽ケースの側面図である。
【発明を実施するための形態】
【００１９】
（実施の形態）                                                                  
本発明の実施の形態に係る植栽ケース、及び当該植栽ケースを用いる壁面緑化ユニット
について図面を参照して説明する。本実施の形態に係る植栽ケース、及び壁面緑化ユニッ
トは、草花や樹木を設置するために用いられ、マンションのベランダや、建築物や構築物
の壁面に沿って設置される自立型の緑化壁となる。壁面緑化は近年普及が進んでおり、植
物による癒し、リラックス効果以外にも、省エネ効果や、ヒートアイランド現象の緩和、
紫外線による建築物の劣化を防止する効果が期待されている。                        
【００２０】
最初に、本実施の形態に係る壁面緑化ユニットの構造に関して説明する。図１に示すよ
うに、壁面緑化ユニット１は、構築物２と、アタッチメント（載置台）３と、植栽ケース
４とを備えている。                                                              
【００２１】
構築物２は、図２に示すように、垂直状に立設された支持部材２ａを複数有した構築物
である。構築物２には、使用態様に応じてアタッチメント３の段数や高さが自在に調節で
きるようにアタッチメント３を載置・係合するための複数の突起部材２ｂが、上下方向の
所定間隔で内向きに形成されている。この突起部材２ｂにより、構築物２は、アタッチメ
ント３を水平方向で、上下方向の自由な位置に複数段で着脱可能に取り付けることができ
る構造となる。なお、支持部材２ａは、図２に示すような支柱形状に限定されるものでは
なく、アタッチメント３を係止できれば板状など他の形状でも良い。また、構築物２は鉄
骨に限定されるものではなく他の金属材や強化樹脂を用いても良い。さらに、アタッチメ
ント３を係止する形態は突起部材２ｂに限定されるものではなく、アタッチメント３を係
止・載置できる構造であれば良い。また、構築物２が図２（ｂ）に示すような鉤状部２ｃ
の形状を有して、この鉤状部２ｃにアタッチメント３を係合するような構造としても構わ
ない。                                                                         
【００２２】
アタッチメント３は、図３（ａ）に示すように、例えば四角枠形状の成形体であり、四
隅側で構築物２の突起部材２ｂ上に着脱可能に載置・係合される。アタッチメント３には
、例えば、鉄製（ステンレス製）のフラットバーなどを用いている。                  
【００２３】
植栽ケース４は、図４に示すように、上面に開口面４ａが形成され、植物の根部を包囲
して培養土を収容するための内部空間を有する略箱形状（本実施の形態においては有底略
四角筒形状）の可搬体である。そして、開口面４ａの端側（本実施の形態では一端側）に
は、植物を斜め上向きで植込定置できるように下方に向かって斜めに傾斜した植込口４ｂ
が形成される。この構成により、植栽ケース４に植え込まれた植物が斜め上方向を向いて
成長することができる。                                                          
【００２４】
植栽ケース４の側面には、下端位置で所定部材たるアタッチメント３と係合するための
複数の係合部（段差部４ｃ及び凸条リブ４ｄ）が、当該下端位置が同一平面上になるよう
に形成されている。具体的には、図４（ａ），（ｂ）に示すように、凸状リブ４ｄは、植
栽ケース４の植込口４ｂ側を正面とした状態において、少なくとも植栽ケース４の正面側
面及び背面側面の上側であって、その下端位置が同一平面上に位置するように、複数形成
されている。また、段差部４ｃは、植栽ケース４の植込口４ｂ側を正面とした状態におい
て、少なくとも植栽ケース４の正面側面及び背面側面の高さ位置中間近傍に、その下端位
置が凸条リブ４ｄの下端位置と同一平面上になるように形成されている。この構造により
、植栽ケース４は、図３（ｂ）に示すように、その側面において、アタッチメント３上に
載置・係合可能となり、左右方向での僅かな位置調整が可能となる。なお、係合構造は段
差部４ｃや凸状リブ４ｄの形状に限定されるものではなく、その他、Ｌ型アングルなど、
アタッチメント３と係合可能であり、且つアタッチメント３の長手方向に沿って微調整で
きる形状を有していれば良い。                                                    
【００２５】
植栽ケース４の底面側には、図４（ａ），（ｄ）に示すように、植込口４ｂ側を正面と
した状態において正面から背面側に向かって傾斜した傾斜面４ｅが形成されている。この
傾斜面４ｅが形成されることにより、下方の植栽ケース４の植込口４ｂに植え込まれた植
物の上側への成長を植栽ケース４の底面で妨げることがなく、壁面緑化ユニット１のディ
スプレイ性を向上できる。                                                        
【００２６】
植栽ケース４は、図５に示すように、その底面側を上方から開口面４ａに嵌め合わせる
ことにより、複数の植栽ケース４を上下方向で効率的に積層（スタッキング）することが
できる。この構成により、搬送コストを低減し、保管時における省スペース化を実現でき
る。                                                                            
【００２７】
植栽ケース４の底面には、図４（ｅ）に示すように、その上面において水を排水するた
めのスリット構造を有した筒状突起部４ｆが形成されている。この構造により、壁面緑化
ユニット１の最上段から給水するだけで水が筒状突起部４ｆからオーバーフローして、下
側に位置する全ての植栽ケース４に給水することが可能となる。                      
【００２８】
なお、植栽ケース４の大きさは、例えば、奥行き１８×幅１５×高さ２２ｃｍ、植物共
の重量が５ｋｇ程度であるが、植えこまれる植物の種類などに応じて大小様々な大きさと
なる。例えば、大型で重量のある植栽ケース４は、奥行き３５×幅３０×高さ５０ｃｍ、
植物共の重量３０ｋｇ以上とすることもできる。                                    
【００２９】
壁面緑化ユニット１は、さらに、図６に示すように、植栽ケース４の開口面４ａに係合
し固定される形状の蓋部材５を備える。この蓋部材５には、上から落ちてくる水を受水し
て下方へ通すための貫通孔たる通水部５ａが形成され、この通水部５ａにより、上段に載
置された植栽ケース４の筒状突起部４ｆからオーバーフローしてくる水を、下段の植栽ケ
ース４の内部空間に受水することが可能となる。また、蓋部材５を植栽ケース４の開口面
４ａに取り付けることにより、土が飛散すること、大きくなった植物が植栽ケース４から
落下することなどを適切に防止できる。                                            
【００３０】
蓋部材５は、その側縁において段状部５ｂを有し、植栽ケース４の開口面４ａに嵌合可
能な構造を有する。また、蓋部材５の上面は、植栽ケース４の底面と嵌合可能な形状とな
る。この構造により、複数の植栽ケース４を、上下方向で多段に積層する際には、植栽ケ
ース４の底面を蓋部材５上に載置・固定でき、安定して複数の植栽ケース４を上下方向に
多段積層することが可能となる。                                                  
【００３１】
なお、本実施の形態において、植栽ケース４に植え込まれる植物には、草花のみでなく
、例えば、アベリア、寒ツバキ、黄金マサキ、ユキヤナギ、コデマリ等の背丈の低い樹木
を用いることができる。                                                          
【００３２】
また、図３（ｂ）に示すように、壁面緑化ユニット１の植栽ケース４がアタッチメント
３の長手方向に沿って微調整可能であるため、植栽ケース４に植え込まれた植物の位置を
自由に変更できる。この結果、本発明では、植物のレイアウト変更性に非常に優れ、当初
より完成度の高い草花のデザインを実現できる。                                    
【００３３】
次に、本実施の形態に係る壁面緑化ユニット１の設置方法に関して説明する。最初の工
程では（１）植栽ケース４を用いて植物を植え込み、又は農家等で予め低樹木類などを植
え込み予め成長させる。（２）次に、養生して充分に樹木が育ったものなど、植栽ケース
４を壁面緑化ユニット１の設置場所に搬送し、（３）鉄骨の構築物２を構築し、（４）構
築物２の突起部材２ｂ上に、アタッチメント３を取り付ける。次に、（５）植栽ケース４
を吊り上げ、植栽ケース４を所望のアタッチメント３の位置に係合し、各植栽ケース４の
位置を植物の大きさ、デザインにより微調整する。                                  
【００３４】
次に、本実施の形態に係る壁面緑化ユニット１の設置例に関して、図７を参照して説明
する。図７はベランダなどにおいて壁面緑化ユニット１を飾った場合であり、図７（ａ）
の場合は、壁面に沿ってボルトナットなどを用いて設置固定された壁面緑化ユニット１を
示す。図７（ｂ）は、構築物２の上下の位置でボルトナットなどを用いて設置固定して、
背面から植栽ケース４をアタッチメント３上に載置して、外に向けて植物を飾ることがで
きる。図７（ｃ）は、構築物２の上下の位置でボルトナットなどを用いて設置固定して、
背面から植栽ケース４をアタッチメント３上に載置して、植栽ケース４を前後の両向きで
設置した自立型の壁面緑化ユニット１を示している。なお、図７（ｂ），（ｃ）において
は、構築物２の上下位置でボルトナットを用いて構築物２を固定するために、壁面緑化ユ
ニット１の自立性、安定性が増し、重量物となる壁面緑化ユニット１を安全確実に長期間
に亘って維持することが可能となる。                                              
【００３５】
このように、本実施の形態に係る壁面緑化ユニット１は施工性に優れ、且つ、ホームセ
ンターなどで市販されている鉢花（完成株）などのポットを用いて、ビルの壁面やマンシ
ョンのベランダなどで、一般の人でも植物の存在感のある景観を即席で創出できる。また
、植栽ケース４の位置を容易に左右方向に微調整できるためにレイアウト変更性にも極め
て優れ、植物のデザインを楽しむことができる棚状体となる。                        
【００３６】
次に、本実施の形態に係る壁面緑化ユニット１のディスプレイ変更例に関して、図８を
用いて説明する。                                                                
【００３７】
図８に示すように、デザイン性の面から、自由な位置や高さで植栽ケース４の空間ディ
スプレイを希望する場合は、植栽ケース４を載置するアタッチメント３を、構築物２の突
起部材２ｂの所望の位置に固定し、そこへ植物を植えこんだ植栽ケース４を載置する。こ
の場合、アタッチメント３上で植栽ケース４を左右に自由に微調整できる。このため、植
栽ケース４に植栽された植物のボリューム、形により右寄りにしたり左寄りにしたり、植
物の微妙な位置調整ができ、ディスプレイ効果を高めることができる。例えば、横幅５０
ｃｍ、高さ２ｍの金属製の構築物２を用いる場合、アタッチメント３を植物のボリューム
、形に合わせて所望の高さ位置に配置できる。また、この５０ｃｍの横幅内に２個の植栽
ケース４を並べたり、植物のボリュームや形に合わせて植栽ケース４を１個のみ載置した
りでき、その位置を微調整できる。この構成により、壁面緑化ユニット１のディスプレイ
性を高めることができる。                                                        
【００３８】
また、図８（ｂ）に示すように、植栽ケース４の大小サイズが多数ある場合でも、構築
物２及びアタッチメント３を使うことによりアタッチメント３の突起部材２ｂ上への取り
付け位置を調整でき、大小の大きさが異なる植栽ケース４を混用することができる。この
ため、壁面緑化ユニット１に使用できる植物の範囲も拡がり、そのディスプレイ効果は益
々高くなる。                                                                    
【００３９】
以上の説明のように、本実施の形態に係る壁面緑化ユニット１は、四角枠形状のアタッ
チメント３と、アタッチメント３を水平方向で、上下方向の自由な位置に複数段で着脱可
能に取り付けるために垂直状に立設される構築物２と、植栽ケース４とを備える。この植
栽ケース４は、上面に開口面４ａが形成され、植物の根部を包囲して培養土を収容するた
めの内部空間を有する略箱形である。また、開口面４ａには、植物を斜め上向きで植込定
置できるように下方に向かって斜めに傾斜した植込口４ｂが形成されると共に、植栽ケー
ス４の側面には、下端位置でアタッチメント３と係合するための複数の係合部（段差部４
ｃ及び凸条リブ４ｄ）が形成される。                                              
【００４０】
この構成により、植栽ケース４の内部空間に多量の培養土を収容できるために、植物を
良好な状態で長期間維持できる。また、植栽ケース４に予め植物を栽培しておくことで、
生育速度の穏やかな植物（樹木）の育つ期間を待つ必要がないために植物の存在感のある
景観を即席で創出できる。また、植栽ケース４に多量の培養土を用いることで、例えば樹
木を用いた都会での壁面緑化を１０年以上の長期間に亘って実現できる。              
【００４１】
そして、壁面緑化ユニット１では、部品点数を最低限に抑えたため、作業性が良く多様
な空間や場所に配置できる。                                                      
【００４２】
また、植栽ケース４が上下方向にスタッキングできる構造であるために、搬送コストや
保管スペースが不要となり、コスト低減を図ることができる。また、植栽ケース４が立て
られた状態で用いられ、開口面４ａには蓋部材５が嵌合されるために内部の培養土が外側
に流出することはない。                                                          
【００４３】
また、アタッチメント３上に載置された植栽ケース４の間隔を微調整することで、各設
置場所のデザインニーズに合わせた装飾ができ、レイアウト変更性に極めて優れた壁面緑
化ユニット１となる。すなわち、同じ大きさの植栽ケース４を用いても植物品種によって
その成長スピードが異なるが、植物が大きく育ってきた場合には、植栽ケース４の上下左
右の間隔を変更、一部の植栽ケース４を取り外すことで、植物品種の成長スピードの応じ
た充分なスページングが可能となる。また、構築物２に載置されるアタッチメント３同士
の間隔を調整することで、植物に併せて大小様々な大きさの植栽ケース４を載置でき、デ
ザイン性を極めて高いものにできる。                                              
【００４４】
またさらに、例えば枯死した植物の入れ替えも、植栽ケース４を交換するのみで対応で
き、極めて機能的となる。                                                        
【００４５】
そして、植栽ケース４を用いるため、壁面緑化ユニット１をコンクリート構築物やビル
外壁などの壁面に沿って設置しても、植物の根がコンクリート構造物や建物に直接触れる
ことはなく、建物壁面を傷めることがない。                                        
【００４６】
（変形例１）                                                                    
本実施の形態の第１の変形例について、図９を参照して説明する。本変形例１は、複数
の植栽ケース４を、上下方向に多段積層する場合である。すなわち、植栽ケース４の底面
は蓋部材５と嵌合可能な構造を有しており、蓋部材５上に直接載置される。この場合、給
水された水は、植栽ケース４の筒状突起物４ｅからオーバフローして下側の蓋状体５に流
れ、蓋状体５の通水部５ａを通って下方の植栽ケース４に給水される。本変形例１は、具
体的には、マンションのベランダなど、全体の高さが低く植栽ケース４を上下方向に４〜
５段までで低く積層する場合である。この構成においては、植栽ケース４のみを用いて、
マンションのベランダなどで植物を良好な状態で長期間維持でき、且つ植物のデザイン性
にも優れた植栽ケース４とすることができる。すなわち、植栽ケース４及び蓋部材５を用
いて植栽することができる。なお、蓋部材５の構成は必須ではなく、植栽ケース４の底面
を下段の植栽ケース４の開口面４ａに嵌合する構成でも構わない。                    
【００４７】
（変形例２）                                                                    
本実施の形態の第２の変形例について、図１０を参照して説明する。本変形例２に係る
植栽ケース６は、その開口面６ａの両端側に、植物を斜め上向きで植込定置できるように
下方に向かって斜めに傾斜した植込口６ｂ，６ｂ´が形成される。この構成の植栽ケース
６を壁面緑化ユニット１に用いることによって、上記実施の形態と同様の作用効果を奏す
ると共に、植物を両側面から鑑賞することができ、ディスプレイ性・デザイン性の異なる
壁面緑化ユニット１を実現できる。                                                
【００４８】
なお、本発明は、上記実施の形態の構成に限られず、発明の趣旨を変更しない範囲で種
々の変形が可能である。例えば、植栽ケース４の左右側面の上側に係合部を設けて、奥行
き方向前後においても微調整できるようにしても良い。                              
【符号の説明】
【００４９】
１  壁面緑化ユニット                                                          
２  構築物                                                                    
２ａ  支持部材                                                                
２ｂ  突起部材                                                                
２ｃ  鉤状部                                                                  
３  アタッチメント                                                            
４，６  植栽ケース                                                            
４ａ，６ａ  開口面                                                            
４ｂ，６ｂ，６ｂ´  植込口                                                    
４ｃ  段差部（係合部）                                                        
４ｄ  凸条リブ（係合部）                                                      
４ｅ  傾斜面                                                                  
４ｆ  筒状突起部                                                              
５  蓋部材                                                                    
５ａ  通水部                                                                  
５ｂ  段状部                                                                  
【図１】
2017221129.tif 000003
【図２】
2017221129.tif 000004
【図３】
2017221129.tif 000005
【図４】
2017221129.tif 000006
【図５】
2017221129.tif 000007
【図６】
2017221129.tif 000008
【図７】
2017221129.tif 000009
【図８】
2017221129.tif 000010
【図９】
2017221129.tif 000011
【図１０】
2017221129.tif 000012
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
上面に開口面が形成され、植物の根部を包囲して培養土を収容するための内部空間を有
する略箱形状の植栽ケースであって、
前記開口面の端側には、植物を斜め上向きで植込定置できるように下方に向かって斜め
に傾斜した植込口が形成されると共に、前記植栽ケースの側面には、その下端位置で所定
部材と係合するための複数の係合部が形成され、
前記複数の係合部の下端位置は同一平面上にある、ことを特徴とする植栽ケース。
【請求項２】
前記植栽ケースは、さらに、前記開口面に係合し固定される形状の蓋部材を有し、当該
蓋部材には、水を下方へ通すための貫通孔たる通水部が形成されている、ことを特徴とす
る請求項１記載の植栽ケース。
【請求項３】
前記植栽ケースの底面側には、さらに、前記植込口側を正面とした状態において正面か
ら背面側に向かって傾斜した傾斜面が形成される、ことを特徴とする請求項１又は２に記
載の植栽ケース。
【請求項４】
四角枠形状のアタッチメントと、
当該アタッチメントを水平方向で、上下方向の自由な位置に複数段で着脱可能に取り付
けるために垂直状に立設される構築物と、
請求項１乃至３のいずれかに記載の植栽ケースと、を備えた壁面緑化ユニットであって
、前記所定部材が前記アタッチメントである、ことを特徴とする壁面緑化ユニット。
【請求項５】
前記請求項４に記載の植栽ケースを用いて、植物を予め植えこむ工程と、
前記植栽ケースを、前記請求項４に記載の壁面緑化ユニットの設置場所に搬送する工程
と、
前記構築物に前記アタッチメントを取り付ける工程と、
前記構築物に取り付けられた前記アタッチメント上に、前記植栽ケースを、着脱可能に
載置する工程と、を含むことを特徴とする壁面緑化の設置方法。
【手続補正２】
【補正対象書類名】明細書
【補正対象項目名】００１２
【補正方法】変更
【補正の内容】
【００１２】
上記目的を達成するために本発明は、上面に開口面が形成され、植物の根部を包囲して
培養土を収容するための内部空間を有する略箱形状の植栽ケースであって、前記開口面の
端側には、植物を斜め上向きで植込定置できるように下方に向かって斜めに傾斜した植込
口が形成されると共に、前記植栽ケースの側面には、その下端位置で所定部材と係合する
ための複数の係合部が形成され、前記複数の係合部の下端位置は同一平面上にあることを
特徴とする。
【手続補正３】
【補正対象書類名】明細書
【補正対象項目名】００１４
【補正方法】変更
【補正の内容】
【００１４】
また、この植栽ケースにおいて、前記植栽ケースの底面側には、さらに、前記植込口側
を正面とした状態において正面から背面側に向かって傾斜した傾斜面が形成されることが
好ましい。
【手続補正書】
【提出日】平成28年12月7日(2016.12.7)
【手続補正１】
【補正対象書類名】特許請求の範囲
【補正対象項目名】全文
【補正方法】変更
【補正の内容】
【特許請求の範囲】
【請求項１】
四角枠形状のアタッチメントと、
当該アタッチメントを水平方向で、上下方向の自由な位置に複数段で着脱可能に取り付
けるために垂直状に立設される構築物と、
植栽ケースと、を備えた壁面緑化ユニットであって、
前記植栽ケースは、上面に開口面が形成され、植物の根部を包囲して培養土を収容する
ための内部空間を有する略箱形状の植栽ケースであって、
前記開口面の端側には、植物を斜め上向きで植込定置できるように下方に向かって斜め
に傾斜した植込口が形成されると共に、前記植栽ケースの側面には、その下端位置で前記
アタッチメントと係合するための複数の係合部が形成され、
前記複数の係合部の下端位置は同一平面上にあり、
前記係合部は、段差部を有し、この段差部は、前記植栽ケースの植込口側を正面とした
状態において、少なくとも前記植栽ケースの正面側面及び背面側面の高さ位置中間近傍に
、その下端位置が同一平面上になるように形成されている、ことを特徴とする壁面緑化ユ
ニット。
【請求項２】
前記植栽ケースは、さらに、前記開口面に係合し固定される形状の蓋部材を有し、当該
蓋部材には、上から落ちてくる水を受水して下方へ通すための貫通孔たる通水部が形成さ
れている、ことを特徴とする請求項１記載の壁面緑化ユニット。
【請求項３】
前記植栽ケースの底面側には、さらに、前記植込口側を正面とした状態において正面か
ら背面側に向かって傾斜した傾斜面が形成される、ことを特徴とする請求項１又は２に記
載の壁面緑化ユニット。
【請求項４】
前記請求項１に記載の植栽ケースを用いて、植物を予め植えこむ工程と、
前記植栽ケースを、前記請求項１に記載の壁面緑化ユニットの設置場所に搬送する工程
と、
前記構築物に前記アタッチメントを取り付ける工程と、
前記構築物に取り付けられた前記アタッチメント上に、前記植栽ケースを、着脱可能に
載置する工程と、を含むことを特徴とする壁面緑化の設置方法。
【手続補正３】
【補正対象書類名】明細書
【補正対象項目名】０００１
【補正方法】変更
【補正の内容】
【０００１】
本発明は、スリット状構築物や壁面などに沿って自立した緑化壁を造るための植栽ケー
スを用いた壁面緑化ユニットに関する。
【手続補正４】
【補正対象書類名】明細書
【補正対象項目名】００１１
【補正方法】変更
【補正の内容】
【００１１】
本発明は、上記課題に鑑みてなされたものであり、植物を良好な状態で長期間維持でき
、作業性が良く多様な空間や場所に配置でき、搬送・管理コストを低減し、且つ植物のレ
イアウト変更性・デザイン性にも優れた植栽ケースを用いる壁面緑化ユニットを提供する
ことを目的とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
上記目的を達成するために本発明は、四角枠形状のアタッチメントと、当該アタッチメ
ントを水平方向で、上下方向の自由な位置に複数段で着脱可能に取り付けるために垂直状
に立設される構築物と、植栽ケースと、を備えた壁面緑化ユニットであって、前記植栽ケ
ースは、上面に開口面が形成され、植物の根部を包囲して培養土を収容するための内部空
間を有する略箱形状の植栽ケースであって、前記開口面の端側には、植物を斜め上向きで
植込定置できるように下方に向かって斜めに傾斜した植込口が形成されると共に、前記植
栽ケースの側面には、その下端位置で前記アタッチメントと係合するための複数の係合部
が形成され、前記複数の係合部の下端位置は同一平面上にあり、前記係合部は、段差部を
有し、この段差部は、前記植栽ケースの植込口側を正面とした状態において、少なくとも
前記植栽ケースの正面側面及び背面側面の高さ位置中間近傍に、その下端位置が同一平面
上になるように形成されていることを特徴とする。また、前記植栽ケースは、さらに、前
記開口面に係合し固定される形状の蓋部材を有し、当該蓋部材には、上から落ちてくる水
を受水して下方へ通すための貫通孔たる通水部が形成されていることが好ましい。さらに
、前記植栽ケースの底面側には、さらに、前記植込口側を正面とした状態において正面か
ら背面側に向かって傾斜した傾斜面が形成されることが好ましい。